(57)【特許請求の範囲】
【請求項１】
合成樹脂製の外容器とその外容器に内装される内容器とからなる容器本体を含む二重容器において、
前記内容器の口部に内容器の外側へ凸となる突出部を形成し、
前記外容器の口部に外容器の内側へ凸となる凹所を形成して、外容器の内周面をその凹所において内容器の前記突出部の外周面に干渉させることにより外容器に対して内容器が相対移動するのを規制するようにしたことを特徴とする二重容器。
【請求項２】
前記容器本体に、同容器本体内に収容される内容物を塗布するための塗布具を設けたことを特徴とする請求項１に記載の二重容器。
【請求項３】
前記容器本体は内部に毛髪化粧料を収容していることを特徴とする請求項１又は請求項２に記載の二重容器。
【発明の詳細な説明】
【０００１】
【発明の属する技術分野】
本発明は、合成樹脂製の外容器とその外容器に内装される内容器とからなる容器本体を含む二重容器に関するものである。
【０００２】
【従来の技術】
図４は、従来の二重容器の一部を拡大して示す半断面図である。同図に示すように、この二重容器は、合成樹脂製の外容器４１とその外容器４１に内装される内容器４２とからなる容器本体４３と、外容器４１の口部に装着されて容器本体４３の開口を閉塞する蓋体４４とから構成されている。内容器４２は、外容器４１の口部に装着された蓋体４４と外容器４１の口部上端との間に口部上端を挟圧された状態で外容器４１内に支持されている。この内容器４２の口部下部には、内容器４２の外側へ凸となる突出部４５が設けられており、その突出部４５が外容器４１の口部内周面に干渉することで、外容器４１に対する内容器４２の相対移動が規制されるようになっている。一方、外容器４１の口部外周面には、蓋体４４内周面のネジ山４６に係合するネジ山４７が設けられているほか、蓋体４４内周面に当接して外容器４１の口部外周面と蓋体４４内周面との間をシールする凸条４８が全周にわたって設けられている。
【０００３】
【発明が解決しようとする課題】
ところが、外容器４１が合成樹脂製である場合、上記のように外容器４１の口部外周面にネジ山４７や凸条４８を設けると、外容器４１の口部内周面には、そのネジ山４７及び凸条４８に対応する部位にひけが生じる（図４中に二点鎖線で示す）。このため、内容器４２の突出部４５と外容器４１の口部内周面との間隔が設計時の想定よりも大きくなり、その結果内容器４２の相対移動を十分に規制することができないおそれがあった。
【０００４】
本発明は、上記のような従来技術に存在する問題点に着目してなされたものである。その目的とするところは、外容器に対する内容器の相対移動を確実に規制することができる二重容器を提供することにある。
【０００５】
【課題を解決するための手段】
上記の目的を達成するために、請求項１に記載の発明は、合成樹脂製の外容器とその外容器に内装される内容器とからなる容器本体を含む二重容器において、前記内容器の口部に内容器の外側へ凸となる突出部を形成し、前記外容器の口部に外容器の内側へ凸となる凹所を形成して、外容器の内周面をその凹所において内容器の前記突出部の外周面に干渉させることにより外容器に対して内容器が相対移動するのを規制するようにしたことを要旨とする。
【０００６】
請求項２に記載の発明は、請求項１に記載の二重容器において、前記容器本体に、同容器本体内に収容される内容物を塗布するための塗布具を設けたことを要旨とする。
【０００７】
請求項３に記載の発明は、請求項１又は請求項２に記載の二重容器において、前記容器本体は内部に毛髪化粧料を収容していることを要旨とする。
【０００８】
【発明の実施の形態】
以下、本発明を具体化した一実施形態を図面に基づいて詳細に説明する。
図１は、本実施形態における二重容器１１を示す正面図である。同図に示すように、二重容器１１は、容器本体１２と、その容器本体１２の上端部に装着された蓋体１３とから構成されている。
【０００９】
容器本体１２は、図２に示すように、外容器１４と、その外容器１４に出し入れ自在に内装される内容器１５とから構成されている。
まず外容器１４は有底円筒状をなし、上端に開口を有している。この外容器１４は、有底円筒状をなす胴部１４ａの上端に胴部１４ａよりもやや小径で円筒状をなす口部１４ｂが連設されてなる。外容器１４の口部１４ｂ外周面には、ネジ山２１が設けられているほか、凸条２２（図３参照）と凹条２３（図３参照）とが全周にわたって設けられている。凸条２２は、口部１４ｂの上端縁、すなわち外容器１４の開口端縁に位置し、凹条２３は、その凸条２２のすぐ下に位置している。図３に二点鎖線で示すように、外容器１４の口部１４ｂ内周面は、ネジ山２１及び凸条２２に対応する部位が窪んで、逆に凹条２３に対応する部位が外容器１４の内側へ膨らんだ形状を有している。そして、前記ネジ山２１及び凸条２２は、外容器１４の外側へ凸となる凸所として、また凹条２３は、外容器１４の内側へ凸となる凹所として形成されている。
【００１０】
次に内容器１５は、図２及び図３に示すように、外容器１４と同じく有底円筒状をなし、上端に開口を有している。この内容器１５は、有底円筒状をなす胴部１５ａの上端に胴部１５ａよりも小径で円筒状をなす首部１５ｂが連設され、さらにその首部１５ｂの上端に首部１５ｂよりも大径で円筒状をなす口部１５ｃが連設されてなる。胴部１５ａは、容易に変形できるように薄肉に形成され、その一方で首部１５ｂや口部１５ｃは、胴部１５ａに比べて厚肉に形成されて、ある程度の剛性を有している。口部１５ｃの上端には、円環状のフランジ２４が外方に延出形成されており、内容器１５は、外容器１４の口部１４ｂに装着された蓋体１３と外容器１４の口部１４ｂ上端との間にフランジ２４を挟圧された状態で外容器１４内に支持されている。このフランジ２４の下面には、四つの凹溝２５（図２では一部の凹溝２５のみを示す）が周方向に等間隔をおいて設けられている。また、口部１５ｃの下部には、内容器１５の外側へ凸となる突出部２６が全周にわたって形成されており、この突出部２６が外容器１４の内周面に干渉することで、外容器１４に対する内容器１５の相対移動が規制されるようになっている。この突出部２６の外面にも、四つの凹溝２７（図２では一部の凹溝２７のみを示す）が連通路として周方向に等間隔をおいて設けられている。突出部２６は、前記外容器１４の凹条２３に対応する位置に設けられており、突出部２６と凹条２３との間隔（すなわち、突出部２６及び凹条２３が設けられた部位における内容器１５の口部１５ｃ外周面と外容器１４の口部１４ｂ内周面との間隔）の好ましい範囲は０〜０．７ｍｍ、より好ましい範囲は０〜０．５ｍｍである。これが０．７ｍｍを超えると内容器１５の相対移動を十分に規制することができないおそれがある。
【００１１】
内容器１５の中には内容物として毛髪化粧料が収容される。毛髪化粧料としては、具体的には、酸化染毛剤、酸性染毛料、毛髪脱色剤等の染毛料のほか、シャンプーやリンス、整髪剤、パーマ剤、トリートメント剤、ラメ等が挙げられる。その剤型は流動性を有する限り特に限定されるものではなく、ジェル状、ゲル状、クリーム状、ペースト状等の粘稠なものでも、液状のものでもよい。また一剤式のものでもよいし、第１剤と第２剤とからなる二剤式のものでもよい。
【００１２】
尚、上記した外容器１４と内容器１５は、共に合成樹脂製で可撓性を有している。外容器１４及び内容器１５の原料となる合成樹脂としては、例えば高密度ポリエチレン、中密度ポリエチレン、低密度ポリエチレン、直鎖状低密度ポリエチレン、エチレン・酢酸ビニル共重合体けん化物、ポリアクリロニトリル、ポリエチレンテレフタレート、ポリプロピレン、ポリエステル、ポリ塩化ビニル、ナイロン等が挙げられる。これらは単独で用いても、二種以上をブレンドして用いてもよい。また、各容器１４，１５は単層構造であっても、二つ以上の層を積層した多層構造であってもよい。
【００１３】
一方の蓋体１３は、図１に示すように、円筒状をなす蓋本体１３ａの上部に塗布具としての櫛体１３ｂが連設されてなる。櫛体１３ｂは、丸棒状の軸部２８に複数の櫛歯２９が上下方向に一列に並設されてなり、上下両端に位置する櫛歯２９を除く各櫛歯２９には吐出口（図示しない）が設けられている。また、軸部２８には、三つの空気導入口３０（図１では一部の空気導入口３０のみを示す）が周方向に間隔をおいて設けられている。一方、蓋本体１３ａの内周面には、図３に示すように、前記外容器１４のネジ山２１に係合可能なネジ山３１が設けられている。この蓋本体１３ａを外容器１４の口部１４ｂに外嵌させることで蓋体１３は容器本体１２に装着されており、蓋本体１３ａと外容器１４の両ネジ山２１，３１の係合関係によって容器本体１２と蓋体１３は自在に着脱できる構成になっている。さらに、蓋体１３を容器本体１２に装着させたときには、前記外容器１４の凸条２２が蓋本体１３ａの内周面に当接し、これにより外容器１４の口部１４ｂ外周面と蓋本体１３ａの内周面との間がシールされるようになっている。
【００１４】
また、蓋体１３の内部は肉抜きされており、蓋体１３の内壁から垂下する別体の隔壁３２によって大きく内外二つの小室３３ａ，３３ｂに区画されている。外寄りの小室３３ａは前記空気導入口３０を介して外部に連通すると共に、内容器１５の凹溝２５を介して外容器１４と内容器１５との間の空間にも連通している。隔壁３２上部に取付けられた弁体３４ａは、小室３３ａを二分して外容器１４と内容器１５の間の空間と二重容器１１の外部との連通を阻止する図３に実線で示す位置と、その連通を許容する同図に二点鎖線で示す位置との間を変位することができる。一方、内寄りの小室３３ｂは、前記櫛歯２９の吐出口（図示しない）を介して外部に連通するとともに、内容器１５の内部にも連通している。隔壁３２下部に取付けられた弁体３４ｂは、小室３３ｂを二分して内容器１５の内部と二重容器１１の外部との連通を阻止する図３に実線で示す位置と、その連通を許容する同図に二点鎖線で示す位置との間で変位することができる。
【００１５】
次に、上記のように構成された二重容器１１の作用を説明する。
ブロー成形法等により合成樹脂を成形する場合、溶融樹脂の温度低下による体積の減少と圧力低下に伴う体積の増加、その両者のバランスが崩れると、ひけが生じる。これは、特に厚肉部において起こりやすい。このため、二重容器１１を構成する外容器１４を製造する場合、その口部１４ｂ外周面にネジ山２１及び凸条２２を形成すると、図３に二点鎖線で示すように、外容器１４の口部１４ｂ内周面にはそのネジ山２１及び凸条２２に対応する部位にひけが生じる。一方、外容器１４の口部１４ｂ外周面に凹条２３を形成すると、図３に同じく二点鎖線で示すように、口部１４ｂ内周面にはその凹条２３に対応する部位に内側への膨らみが生じる。
【００１６】
また、本実施形態における二重容器１１を使用して毛髪化粧料を髪に塗布する場合には、内容器１５の内部に毛髪化粧料を充填した後、容器本体１２をスクイズして櫛歯２９の吐出口（図示しない）から毛髪化粧料を吐出させながら櫛体１３ｂで髪をコーミングする。
【００１７】
外容器１４の胴部１４ａをスクイズすると外容器１４の内部が加圧され、その結果内容器１５が収縮して毛髪化粧料が内容器１５から吐出される。内容器１５から吐出された毛髪化粧料は、弁体３４ｂを二点鎖線で示す位置に変位させて小室３３ｂ内を櫛体１３ｂの方向に移動した後、最終的には各櫛歯２９に設けられた吐出口（図示しない）から外部に吐出される。このとき、弁体３４ａは図３に実線で示す位置に変位し、その結果小室３３ａが二分されて、外容器１４と内容器１５の間の空間と二重容器１１の外部との間の連通は阻止されている。
【００１８】
スクイズを止めると内容器１５の収縮が止まって毛髪化粧料の吐出が止まるとともに、外容器１４が元の形状に復元しようとするために外容器１４の内部が減圧される。その結果外部の空気が蓋体１３の空気導入口３０を介して小室３３ａ内に流入し、その流入する空気の圧力で弁体３４ａが変形をし、その空気は凹溝２５を介して外容器１４と内容器１５の間の空間に流入する。よって、外容器１４の形状は元の形状に復元され、その一方で内容器１５の形状は収縮した状態のまま保持される。
【００１９】
以上詳述した本実施形態によれば次のような効果が発揮される。
（１）外容器１４の口部１４ｂにおける内容器１５の突出部２６に対応する位置には、凹条２３を外周面に設けることによって、外容器１４の内側へ凸となる凹所が形成されている。そして、この凹所により、外容器１４の口部１４ｂ内周面のひけに起因して口部１４ｂ内周面と突出部２６との間隔が大きく開くのが抑制されている。このため、外容器１４の口部１４ｂ内周面を内容器１５の突出部２６に確実に干渉させることができ、外容器１４に対する内容器１５の相対移動を確実に規制することができる。よって、使用時における内容器１５のガタツキを抑制することができ、使用者に与える違和感を低減することができる。
【００２０】
（２）この二重容器１１は容器本体１２内に毛髪化粧料を収容し、さらに塗布具として櫛体１３ｂを備えているので、毛髪化粧料を髪に塗布するのに好適に用いることができる。
【００２１】
（３）外容器１４の口部１４ｂに全周にわたって凹条２３が形成されているので、その口部１４ｂ内周面を内容器１５の突出部２６に対し全周において干渉させることができ、安定して内容器１５の相対移動を規制することができる。
【００２２】
（４）突出部２６の外面に凹溝２７を設けることにより、たとえ突出部２６が外容器１４の口部１４ｂ内周面に全周にわたって当接する場合であっても、外容器１４と内容器１５の間の空間と小室３３ａとの間の連通を確実に確保することができる。
【００２３】
（５）外容器１４の口部１４ｂ内周面に干渉する突出部２６は、内容器１５の口部１５ｃに設けられている。内容器１５の口部１５ｃは胴部１５ａに比べて厚肉に形成されて、ある程度の剛性を有しているので、使用時にスクイズするにつれて胴部１５ａが収縮する一方で、口部１５ｃは形状が変化せず安定している。従って、使用が進んだ状態でも確実に外容器１４の口部１４ｂ内周面と突出部２６とが干渉することができ、使用程度に依らず安定して内容器１５の相対移動を規制することができる。
【００２４】
なお、前記実施形態を次のように変更して構成することもできる。
・  前記実施形態では外容器１４の口部１４ｂに全周にわたって凹条２３を形成したが、間欠的に凹条２３を形成するようにしてもよい。あるいは凹条２３でなくスポット状の凹所であってもよい。ただし、スポット状の凹所とする場合は内容器１５の突出部２６に対応する位置に複数個設けることが好ましい。
【００２５】
・  前記実施形態では容器本体１２に塗布具として櫛体１３ｂを設けたが、櫛体１３ｂに代えてノズル形状の塗布具としてもよい。
・  容器本体１２内に収容される内容物は毛髪化粧料に限定されるものでなく、流動性を有するものであればよい。
【００２６】
次に、前記実施形態から把握できる技術的思想について以下に記載する。
（イ）前記凹所が外容器の全周にわたって形成された凹条であることを特徴とする請求項１から請求項３のいずれか一項に記載の二重容器。このように構成すれば、外容器の全周において内容器の外周面に干渉することができ、安定して内容器の相対移動を規制することができる。
【００２７】
（ロ）  前記内容器の外周面において外容器の凹所と干渉する部位の一部に、その干渉部位を間に挟む二つの空間を連通する連通路を設けたことを特徴とする上記（イ）に記載の二重容器。このように構成すれば、たとえ外容器の内周面と内容器の外周面とが全周にわたって当接する場合であっても、干渉部位を間に挟む二つの空間の間の連通を確実に確保することができる。
【００２８】
【発明の効果】
本発明は、以上のように構成されているため、次のような効果を奏する。
請求項１に記載の発明によれば、外容器に対する内容器の相対移動を確実に規制することができる。
【００２９】
請求項２に記載の発明によれば、請求項１に記載の発明の効果に加え、塗布具を備えた二重容器において、外容器に対する内容器の相対移動を確実に規制することができる。
【００３０】
請求項３に記載の発明によれば、請求項１又は請求項２に記載の発明の効果に加え、毛髪化粧料を収容した二重容器において、外容器に対する内容器の相対移動を確実に規制することができる。
【図面の簡単な説明】
【図１】  本実施形態における二重容器を示す正面図。
【図２】  二重容器の容器本体を分解して示す正面図。
【図３】  二重容器の一部を拡大して示す半断面図。
【図４】  従来の二重容器の一部を拡大して示す半断面図。
【符号の説明】
１１…二重容器、１２…容器本体、１３ｂ…塗布具としての櫛体、１４…外容器、１４ｂ…外容器の口部、１５…内容器、２３…凹所を構成する凹条。
【図１】
0004372323.tif 000002
【図２】
0004372323.tif 000003
【図３】
0004372323.tif 000004
【図４】
0004372323.tif 000005